(57)【要約】【課題】便器本体に固定された既存のベースプレートを別のベースプレートに取り替える時に、取り替えたベースプレートを設計上許容される精度で指定の位置に固定することが可能な治具を提供することを目的とする。【解決手段】型紙６０は、便器本体１０に固定された第一ベースプレート４０又は第二ベースプレート５０の取替交換を行う際に、第一ベースプレート４０又は第二ベースプレート５０の固定位置を決めるための紙製の治具である。【選択図】図６
2017057656.tif 000002
【特許請求の範囲】
【請求項１】
便器本体にトイレ装置を装着するために便器本体に着脱可能に固定したベースプレートの取り替えを行う際に前記ベースプレートの固定位置を決めるための治具であって、
前記ベースプレートとして、第一ベースプレートと、前記第一ベースプレートと外形形状が異なる第二ベースプレートがあり、
前記第一ベースプレートの外形形状の少なくとも一部に沿って形成された切欠き部と、
前記第二ベースプレートの外形形状の少なくとも一部に沿った罫書表示と、
前記便器本体に固定する固定部と、
を有する治具。
【請求項２】
前記固定部は、前記罫書表示が記載された表面とは反対の裏面に設けられた粘着部である、請求項１記載の治具。
【請求項３】
請求項１又は請求項２記載の治具を用いたベースプレートの交換方法であって、
前記便器本体に装着された前記トイレ装置を、前記第一ベースプレートと前記第二ベースプレートの少なくとも一方である交換前のベースプレートから取り外す第一工程と、
前記便器本体に固定されていた前記交換前のベースプレートの外形に、前記切欠き部又は前記罫書表示を合わせた状態で、前記治具を前記固定部によって前記便器本体へ固定する第二工程と、
前記交換前のベースプレートを前記便器本体から取り外す第三工程と、
前記第一ベースプレートと前記第二ベースプレートの少なくとも一方である交換後のベースプレートを、前記第二工程において前記便器本体へ固定した前記治具の前記切欠き部又は前記罫書表示に合わせて、前記便器本体へ固定する第四工程と、
前記第四工程において前記便器本体へ固定した前記交換後のベースプレートを介して、前記便器本体へ前記トイレ装置を装着する第五工程と、
を含んで構成されるベースプレートの交換方法。
【請求項４】
前記治具は紙製の型紙であり、
前記第四工程において、前記交換後のベースプレートを前記便器本体へ固定した後に前記型紙を外す、請求項３記載のベースプレートの交換方法。
【発明の詳細な説明】
【技術分野】
【０００１】
本発明は、トイレ装置用治具に関し、特にトイレ装置の便器本体への装着に用いるトイレ装置用治具に関する。
【０００２】
従来において、洗浄ノズル等の機能部品をケース内に収納したトイレ装置を便器本体に装着する方法として、便器本体の上面にベースプレートを固定し、固定したベースプレートに対してトイレ装置を取り付けることで、便器本体にトイレ装置を装着する方法がある（特許文献１）。
【０００３】
便器本体に固定するベースプレートとしては、便器本体の大きさやトイレ装置の機能部品の種類に応じた形状のものが用意されている。つまり、便器本体の大きさや便器本体に装着するトイレ装置の種類に応じたベースプレートを選択し、選択したベースプレートを便器本体に固定することで共通の便器本体に対して異なる種類のトイレ装置を装着することができる。
【０００４】
このように、便器本体にトイレ装置を装着する際、便器本体に対するベースプレートの固定位置が正しくなかった場合に、便器本体後部に設置されたロータンクが干渉してトイレ装置を便器本体にきちんと装着できない恐れがある。そこで、便器本体の上面へのベースプレートの固定位置の位置決めに用いる治具として型紙を用い、型紙をベースプレートに装着した状態で便器上面に設けられた取付穴と便器のふちに型紙を合わせ、便器のサイズに応じたベースプレートの固定位置を型紙の記載を参照して決定し、決定した位置にベースプレートを固定する方法がある（特許文献２）。
【先行技術文献】
【特許文献】
【０００５】
【特許文献１】特開２００３−２６８８５４号公報
【特許文献２】特開２００１−９５７２５号公報
【発明の概要】
【発明が解決しようとする課題】
【０００６】
しかし、特許文献２の型紙は、便器本体の後部に設置されたロータンクとベースプレートとの距離を所定値以上に保つためのものであり、このような型紙を用いたベースプレートの固定が難しい種類の大便器も存在する。例えば、便器本体の上面に沿ってトイレ装置を設置する種類の大便器には、便器本体の後方において便器洗浄バルブが便器本体の上面よりも上方に突出するものがあり、便器洗浄バルブを筐体内に格納しつつトイレ装置を便器本体の上面に固定する場合がある。このような種類の大便器では、出荷前に組み立てを行う工場において特殊な工具等を用いた便器本体側の便器洗浄バルブとの距離などを担保したうえでベースプレートの固定位置を精密に決めている。こういった大便器に特許文献２のような型紙を用いてベースプレートを固定しようとすると、ベースプレートの固定位置の精度が不十分になり、便器洗浄バルブが干渉してトイレ装置を便器本体に装着できない恐れがある。
【０００７】
本発明は、上述した課題を解決するためになされたものであり、便器本体に固定された既存のベースプレートを別のベースプレートに取り替える時に、取り替えたベースプレートを設計上許容される精度で指定の位置に固定することが可能な治具を提供することを目的とする。
【課題を解決するための手段】
【０００８】
本発明の一態様に係る治具は、便器本体にトイレ装置を装着するために便器本体に着脱可能に固定したベースプレートの取り替えを行う際にベースプレートの固定位置を決めるための治具であって、ベースプレートとして、第一ベースプレートと、第一ベースプレートと外形形状が異なる第二ベースプレートがあり、第一ベースプレートの外形形状の少なくとも一部に沿って形成された切欠き部と、第二ベースプレートの外形形状の少なくとも一部に沿った罫書表示と、便器本体に固定する固定部と、を有する。
【０００９】
このように構成された治具によれば、便器本体に固定されたベースプレートの外形に切欠き部又は罫書表示を合わせた状態で治具の固定部を便器本体に固定できるため、ベースプレートを取り替える時に、便器本体に固定した治具の切欠き部又は罫書表示に基づいてベースプレートの固定位置の位置決めを行うことができる。これにより、取り替えるベースプレートを設計上許容される精度で指定の位置に固定することができるため、新しく固定したベースプレートを介して便器本体へトイレ装置を装着する際に、便器本体側のバルブが干渉するなどしてトイレ装置が便器本体に装着できなくなることを抑制することができる。また、第一ベースプレートに対応した切欠き部と第二ベースプレートに対応した罫書表示を有しているため、同じ種類のベースプレートの交換だけでなく異なる種類のベースプレートの交換を一つの治具により行うことができ、汎用性が高い。
【００１０】
また、本発明の一態様に係る治具は、固定部は、罫書表示が記載された表面とは反対の裏面に設けられた粘着部であってもよい。
【００１１】
このように構成された治具によれば、治具を便器本体に固定する際に容易に固定することができ、固定された治具を便器本体から取り外すことも容易となる。
【００１２】
また、本発明の一態様に係るベースプレートの交換方法は、便器本体に装着されたトイレ装置を、第一ベースプレートと第二ベースプレートの少なくとも一方である交換前のベースプレートから取り外す第一工程と、便器本体に固定されていた交換前のベースプレートの外形に、切欠き部又は罫書表示を合わせた状態で、治具を固定部によって便器本体へ固定する第二工程と、交換前のベースプレートを便器本体から取り外す第三工程と、第一ベースプレートと第二ベースプレートの少なくとも一方である交換後のベースプレートを、第二工程において便器本体へ固定した治具の切欠き部又は罫書表示に合わせて、便器本体へ固定する第四工程と、第四工程において便器本体へ固定した交換後のベースプレートを介して、便器本体へトイレ装置を装着する第五工程と、を含んで構成される。
【００１３】
このように構成されたベースプレートの交換方法によれば、固定されていた交換前のベースプレートと新しい交換後のベースプレートとの交換を容易に行うことができる。
【００１４】
また、本発明の一態様に係るベースプレートの交換方法は、前記治具が紙製の型紙であり、上述したベースプレートの交換方法の第四工程において、交換後のベースプレートを便器本体へ固定した後に型紙を外す構成としてある。
【００１５】
このように構成されたベースプレートの交換方法によれば、治具を紙製の型紙とすることにより、ベースプレートの製造に係るコストを削減することができる。
【発明の効果】
【００１６】
本発明によれば、便器本体に固定された既存のベースプレートを別のベースプレートに取り替える時に、取り替えたベースプレートを設計上許容される精度で指定の位置に固定することができる。
【図面の簡単な説明】
【００１７】
【図１】本実施形態における大便器の全体斜視図である。
【図２】本実施形態における大便器の斜視分解図である。
【図３】本実施形態における第一トイレ装置の下面斜視図である。
【図４】本実施形態における大便器の斜視分解図である。
【図５】本実施形態における第二トイレ装置の下面斜視図である。
【図６】本実施形態における型紙の全体図である。
【図７】本実施形態における便器本体に固定された第一ベースプレートを第二ベースプレートに取り替える際の交換方法を説明するための図である。
【図８】本実施形態における便器本体に固定された第二ベースプレートを第一ベースプレートに取り替える際の交換方法を説明するための図である。
【発明を実施するための形態】
【００１８】
＜大便器１の構成＞
まず、図１乃至３を参照して、本発明の実施形態による大便器１の全体構成について説明する。図１は、本実施形態における大便器の全体斜視図である。図２は、本実施形態における大便器の斜視分解図である。図３は、本実施形態における第一トイレ装置の下面斜視図である。
【００１９】
図１，２に示すように、大便器１は、便器本体１０と、便器本体１０の上部後方側に装着された第一トイレ装置２０と、第一トイレ装置２０に回動可能に支持されて便器本体１０に対して開閉自在である便座８０及び便蓋９０と、を有する。
【００２０】
第一トイレ装置２０は、第一ベースプレート４０を介して便器本体１０の上部に装着されている。具体的にいうと、便器本体１０の上部後方側に第一ベースプレート４０が着脱可能に固定され、固定された第一ベースプレート４０に対して第一トイレ装置２０の底面を取り付けることで、第一トイレ装置２０が便器本体１０の上部に装着される。
【００２１】
便器本体１０は、前部において湾曲状に形成され上方に開口したボウル部１１と、ボウル部１１の開口縁部から後方に連続的に形成された略平坦な上面部１５と、上面部１５の後部において上方に開口した設置部１２と、上面部１５におけるボウル部１１と設置部１２との間の２箇所に設けられた固定孔１３と、を有する。
【００２２】
設置部１２内には、給水源（図示せず）から給水された洗浄水をボウル部１１へ給水する便器洗浄バルブ１４が設置されている。便器洗浄バルブ１４の一部は便器本体１０の上面部１５よりも上方に突出している。
【００２３】
固定孔１３には、大便器１の構成においては、第一ベースプレート４０が固定される。第一ベースプレート４０は、平面視において矩形状の外形を有する。第一ベースプレート４０上には前後方向に長い長孔の取付孔４１が表裏に貫通して２箇所に設けられており、左右両端には上方へ突出した凸部４２，４２が設けられている。
【００２４】
第一ベースプレート４０の取付孔４１と便器本体１０の固定孔１３とを上方からネジ固定することにより、便器本体１０の上部後方側に第一ベースプレート４０を固定することができる。
【００２５】
図３に示すように、第一トイレ装置２０は筐体２１を有し、筐体２１内には機能部品が収容されている。機能部品には、局部に温水を吐出する局部洗浄ノズルや、流量を調整する流量調整ユニットや、局部を乾燥するための乾燥ユニットや、着座を検知するための着座検知ユニットや、各ユニットを制御するコントローラ等がある。
【００２６】
筐体２１の底面２２には、後方寄りの位置に開口部２４が形成されている。開口部２４は、開口の大きさが便器洗浄バルブ１４の外形よりもやや大きくなっており、便器洗浄バルブ１４の便器本体１０の上面部１５よりも上方に突出した部分を開口部２４に挿入して便器洗浄バルブ１４を第一トイレ装置２０内に格納することで、第一トイレ装置２０を便器本体１０の上部に装着することができる。
【００２７】
底面２２の前方寄りの位置には、嵌合溝２５が設けられている。嵌合溝２５は底面視において矩形状の溝であり、長手方向の長さが第一ベースプレート４０の長手方向の長さと略同一である。また、嵌合溝２５上面の左右両端には、凹部２５ａ，２５ａが設けられている。
【００２８】
第一トイレ装置２０の筐体２１は底面２２側から第一ベースプレート４０に取り付けられる。筐体２１を第一ベースプレート４０に取り付ける際には、便器本体１０に固定された第一ベースプレート４０に対して筐体２１の底面２２の嵌合溝２５を嵌め込み、第一ベースプレート４０の凸部４２，４２と嵌合溝２５の凹部２５ａ，２５ａとを嵌合させる。
【００２９】
＜大便器１００の構成＞
次に、図４，５を参照して、本発明の実施形態による大便器１００の全体構成について説明する。図４は、本実施形態における大便器の斜視分解図である。図５は、本実施形態における第二トイレ装置の下面斜視図である。
【００３０】
図１，２に示した大便器１は、便器本体１０に固定した第一ベースプレート４０を介して第一トイレ装置２０を便器本体１０の上部に装着しているが、第一ベースプレート４０の代わりに第二ベースプレート５０を便器本体１０に固定することで、第二トイレ装置１２０を便器本体１０の上部に装着した大便器１００とすることができる。つまり、大便器１と大便器１００は、便器本体１０を共通とする一方で、第一の大便器としての大便器１は、便器本体１０に対して第一ベースプレート４０を介して第一トイレ装置２０の装着を受け、第一の大便器としての大便器１００は、便器本体１０に対して第二ベースプレート５０を介して第二トイレ装置１２０の装着を受ける。
【００３１】
図４に示すように、大便器１００においては、第二トイレ装置１２０が第二ベースプレート５０を介して便器本体１０の上部に装着されている。具体的にいうと、便器本体１０の上部後方側に第二ベースプレート５０が着脱可能に固定され、固定された第二ベースプレート５０に対して第二トイレ装置１２０の底面を取り付けることで、第二トイレ装置１２０が便器本体１０の上部に装着される。
【００３２】
大便器１００の構成においては、便器本体１０の固定孔１３が用いられて第二ベースプレート５０が固定される。第二ベースプレート５０は、平面視において左右に延びた外形を有する。第二ベースプレート５０上には前後方向に長い長孔の取付孔５１が表裏に貫通して２箇所に設けられており、左右両端には上方へ折れ曲がった屈曲部５２，５２が設けられている。また、屈曲部５２，５２の側面には、左右方向に貫通した貫通孔５２ａ，５２ａが設けられている。
【００３３】
第二ベースプレート５０の取付孔５１と便器本体１０の固定孔１３とを上方からネジ固定することにより、便器本体１０の上部後方側に第二ベースプレート５０を固定することができる。
【００３４】
図５に示すように、第二トイレ装置１２０は筐体１２１を有し、筐体１２１内には機能部品が収容されている。機能部品については、局部に温水を吐出する局部洗浄ノズルや、流量を調整する流量調整ユニットや、局部を乾燥するための乾燥ユニットや、着座を検知するための着座検知ユニットや、各ユニットを制御するコントローラ等がある。
【００３５】
筐体１２１の底面１２２には、後方寄りの位置に開口部１２４が形成されている。開口部１２４は開口部２４と同様に、便器洗浄バルブ１４の便器本体１０の上面部１５よりも上方に突出した部分を開口部１２４に挿通して便器洗浄バルブ１４を第二トイレ装置１２０内に格納することで、第二トイレ装置１２０を便器本体１０の上部に装着することができる。
【００３６】
底面１２２の前方寄りの位置には、挿入孔１２２ａ，１２２ａが左右両側に設けられている。また、筐体１２１の側面１２３の前方寄りの位置には、左右方向に貫通したネジ挿入孔１２３ａ，１２３ａが設けられている。
【００３７】
第二トイレ装置１２０の筐体１２１は底面１２２側から第二ベースプレート５０に取り付けられる。筐体１２１を第二ベースプレート５０に取り付ける際には、便器本体１０に固定された第二ベースプレート５０の屈曲部５２，５２を筐体１２１の底面１２２の挿入孔１２２ａ，１２２ａに挿入し、ネジ挿入孔１２３ａ，１２３ａと貫通孔５２ａ，５２ａとを側方からネジ固定する。ネジ挿入孔１２３ａ，１２３ａと貫通孔５２ａ，５２ａとを側方からネジ固定した後に、ネジを隠蔽するためにネジカバー１２７をネジ挿入孔１２３ａ，１２３ａに嵌め込む。
【００３８】
＜型紙の構成＞
次に、図６を参照して、本発明の実施形態による型紙の構成について説明する。図６は、本実施形態における型紙の全体図である。
【００３９】
図６に示す型紙６０は、便器本体１０に固定された第一ベースプレート４０又は第二ベースプレート５０の取替交換を行う際に、第一ベースプレート４０又は第二ベースプレート５０の固定位置を決めるための紙製の治具である。
【００４０】
図６に示すように、型紙６０は、平面視において略矩形状の外形を有し、図中の上端中央部において第一ベースプレート４０の外形形状の一部に沿って形成された切欠き部６１が設けられている。また、型紙６０の表面には第二ベースプレート５０の外形形状の一部に沿った罫書表示６２が記載されている。型紙６０の罫書表示６２が記載された表面とは反対の裏面における下方側左右両端には粘着部６３が設けられている。
【００４１】
切欠き部６１は、平面視で矩形状となる第一ベースプレート４０の外形に沿って形成されており、第一ベースプレート４０の下辺に沿う下辺部６１ａと、左辺に沿う左辺部６１ｂと、右辺に沿う右片部６１ｃとを有する。第一ベースプレート４０に型紙６０を合わせる際には、切欠き部６１が第一ベースプレート４０の上辺以外に密着するようにして合わせる。つまり、型紙６０は、切欠き部６１によって第一ベースプレート４０にあてがわれた状態において、下辺部６１ａ、左辺部６１ｂ及び右辺部６１ｃをそれぞれ第一ベースプレート４０の前辺側及び左右両辺側に沿わせ、第一ベースプレート４０を前側及び左右両側の三方側から囲んだ状態となる。なお、図６に示す例では、切欠き部６１は、型紙６０があてがわれた第一ベースプレート４０の後端部が切欠き部６１からわずかにはみ出る程度の深さ（図６における上下方向の寸法）を有する。
【００４２】
このように、便器本体１０に固定された状態の第一ベースプレート４０に対して型紙６０が切欠き部６１により前側および左右両側から接触した状態であてがわれることで、便器本体１０に固定された状態の第一ベースプレート４０に対して、型紙６０が便器本体１０上において前後方向および左右方向について位置決めされる。ただし、切欠き部６１としては、第一ベースプレート４０の外形形状の少なくとも一部に沿って形成されており、便器本体１０に固定された状態の第一ベースプレート４０を受け入れた状態で、便器本体１０上において型紙６０を前後方向および左右方向について位置決めさせる形状を有するものであればよい。
【００４３】
罫書表示６２は、第二ベースプレート５０の左右両端部と上辺部以外の外形形状に沿った記載である。つまり、型紙６０の罫書表示６２に第二ベースプレート５０が合わせられた状態において、第二ベースプレート５０の左右両端部及び後縁部が型紙６０からはみ出した状態となる。具体的には、第二ベースプレート５０は、概略的な平面視形状として、左右方向を長手方向とする帯状の部分の長手方向の中間部において、帯状の部分の幅方向の一側に帯状の部分と略同じ幅で突出した突出部により形成された幅広部を有する。そして、型紙６０は、矩形状に沿う外形における長手方向については第二ベースプレート５０の幅広部を含む大きさを有し、罫書表示６２は、第二ベースプレート５０の長手方向の両端部を除いた中間部の前面側（図６において下側）の辺に沿う前辺部６２ａと、第二ベースプレート５０の長手方向の中間部の幅広部を形成する突出部の左右両側の略直角状の部分に沿う左右の角部６２ｂ，６２ｃとを有する。第二ベースプレート５０に型紙６０を合わせる際には、罫書表示６２のすべての部分が第二ベースプレート５０の外形形状の一部と一致するようにして型紙６０を第二ベースプレート５０の上方から合わせる。なお、罫書表示６２としては、第二ベースプレート５０の外形形状の少なくとも一部に沿って形成されており、便器本体１０上に固定された第二ベースプレート５０を沿わせた状態で、便器本体１０上において型紙６０を前後方向および上下方向について位置決めさせる形状を表すものであればよい。
【００４４】
第一ベースプレート４０及び第二ベースプレート５０は、共通の固定孔１３が用いられて便器本体１０に固定されるものであり、便器本体１０に固定された状態での外形の範囲の少なくとも一部を互いに重複させる。つまり、便器本体１０に固定された状態の第一ベースプレート４０の平面視外形の範囲と、便器本体１０に固定された状態の第二ベースプレート５０の平面視外形の範囲とは、少なくとも一部を互いに重複させる。本実施形態では、平面視において、便器本体１０に固定された状態の第一ベースプレート４０の外形の範囲は、便器本体１０に固定された状態の第二ベースプレート５０の外形の範囲内に含まれる。
【００４５】
型紙６０において、第一ベースプレート４０の外形に沿う切欠き部６１、及び第二ベースプレート５０の外形に沿う罫書表示６２は、それぞれ対応するベースプレートが便器本体１０上において規定の固定位置にある状態での位置関係となるように設けられている。つまり、型紙６０において、切欠き部６１の形状及び罫書表示６２により表された形状は、便器本体１０上において規定の固定位置にある状態の第一ベースプレート４０及び第二ベースプレート５０の外形形状を重畳的に表したものである。したがって、型紙６０は、切欠き部６１または罫書表示６２により、便器本体１０上において規定の固定位置にある第一ベースプレート４０及び第二ベースプレート５０のいずれか一方に対してあてがわれることで、自動的に、切欠き部６１及び罫書表示６２を、便器本体１０上において規定の固定位置にある第一ベースプレート４０及び第二ベースプレート５０それぞれの外形に沿わせた状態となる。
【００４６】
粘着部６３は、型紙６０を便器本体１０に固定させるための固定部である。粘着部６３は、両面が粘着する両面テープであり、一方の粘着面が型紙６０の裏面に粘着している。本実施形態では、粘着部６３は、矩形状の外形に沿う型紙６０において、切欠き部６１が設けられた側と反対側の辺部の両側の角部の２箇所に矩形状に貼設されている。型紙６０を用いて第一ベースプレート４０又は第二ベースプレート５０の取替交換を行う際に、粘着部６３を便器本体１０に対して粘着することで型紙６０を便器本体１０に貼り付けることができ、且つ、粘着部６３を便器本体１０から剥がすことで型紙６０を便器本体１０から剥がしたりすることが可能である。
【００４７】
＜ベースプレートの交換方法＞
次に、図７，８を参照して、本発明の実施形態による型紙を用いたベースプレートの交換方法について説明する。図７は、本実施形態における便器本体に固定された第一ベースプレートを第二ベースプレートに取り替える際の交換方法を説明するための図である。図８は、本実施形態における便器本体に固定された第二ベースプレートを第一ベースプレートに取り替える際の交換方法を説明するための図である。
【００４８】
まず、便器本体１０に固定された第一ベースプレート４０を第二ベースプレート５０に取り替える際の交換方法について説明する。
【００４９】
まず始めに、大便器１において第一トイレ装置２０を上方へ持ち上げて第一トイレ装置２０の嵌合溝２５と便器本体１０に固定された第一ベースプレート４０との嵌合を解除することで、便器本体１０に装着されていた第一トイレ装置２０を便器本体１０から取り外す（第一工程）。これにより、図７（ａ）に示すように、第一ベースプレート４０が、便器本体１０に固定された状態で便器本体１０の上部において露出する。
【００５０】
次に、図７（ｂ）に示すように、第一工程によって便器本体１０の上部に露出した交換前のベースプレートである第一ベースプレート４０の外形（平面視外形）に型紙６０の切欠き部６１を合わせた状態のまま、粘着部６３によって型紙６０を便器本体１０へ粘着固定する（第二工程）。ここで、便器本体１０に取り付けられた型紙６０においては、便器本体１０に固定された第一ベースプレート４０の便器本体１０に対する取付精度の範囲で、罫書表示６２の位置が、便器本体１０上において規定の位置にある第二ベースプレート５０の外形に沿った位置に存在することになる。
【００５１】
次に、図７（ｃ）に示すように、便器本体１０の上部に型紙６０を粘着した状態のまま、第一ベースプレート４０の取付孔４１と便器本体１０の固定孔１３とを固定しているネジをドライバー等で外し、便器本体１０の上部に固定されていた第一ベースプレート４０を便器本体１０から取り外す（第三工程）。
【００５２】
次に、図７（ｄ）に示すように、第二工程において便器本体１０の上部に粘着した状態の型紙６０の罫書表示６２に交換後のベースプレートとなる第二ベースプレート５０の外形を合わせ、第二ベースプレート５０の取付孔５１と便器本体１０の固定孔１３とを上方からネジ固定することにより第二ベースプレート５０を便器本体１０へ固定する（第四工程）。その後に、型紙６０を便器本体１０から剥がす。このように、本工程では、第二ベースプレート５０を便器本体１０へ固定した後に型紙６０を外すことが行われる。
【００５３】
最後に、図７（ｅ）に示すように、第四工程において便器本体１０に固定した第二ベースプレート５０の屈曲部５２，５２を第二トイレ装置１２０の挿入孔１２２ａ，１２２ａに挿入し、ネジ挿入孔２８ａ，２８ｂと貫通孔５２ａ，５２ａとを側方からネジ固定することで、第二トイレ装置１２０の便器本体１０への装着が完了する（第五工程）。
【００５４】
続いて、便器本体１０に固定された第二ベースプレート５０を第一ベースプレート４０に取り替える際の交換方法を説明する
【００５５】
まず始めに、大便器１００において、ネジ挿入孔２８ａ，２８ｂと貫通孔５２ａ，５２ａとを側方から固定したネジをドライバー等で取り外し、便器本体１０に装着されていた第二トイレ装置１２０を上方へ持ち上げて便器本体１０から取り外す（第一工程）。これにより、図８（ａ）に示すように、第二ベースプレート５０が、便器本体１０に固定された状態で便器本体１０の上部において露出する。
【００５６】
次に、図８（ｂ）に示すように、第一工程によって便器本体１０の上部に露出した交換前のベースプレートである第二ベースプレート５０の外形（平面視外形）に型紙６０の罫書表示６２を合わせた状態のまま、粘着部６３によって型紙６０を便器本体１０へ粘着する（第二工程）。
【００５７】
次に、図８（ｃ）に示すように、便器本体１０の上部に型紙６０を粘着した状態のまま、第二ベースプレート５０の取付孔５１と便器本体１０の固定孔１３とを固定しているネジをドライバー等で外し、便器本体１０の上部に固定されていた第二ベースプレート５０を便器本体１０から取り外す（第三工程）。
【００５８】
次に、図８（ｄ）に示すように、第二工程Ｂ２において便器本体１０の上部に粘着した型紙６０の切欠き部６１に交換後のベースプレートとなる第一ベースプレート４０の外形を合わせ、第一ベースプレート４０の取付孔４１と便器本体１０の固定孔１３とを上方からネジ固定することにより第一ベースプレート４０を便器本体１０へ固定する（第四工程）。その後に、型紙６０を便器本体１０から剥がす。このように、本工程では、第一ベースプレート４０を便器本体１０へ固定した後に型紙６０を外すことが行われる。
【００５９】
最後に、図８（ｅ）に示すように、第四工程Ｂ４において便器本体１０に固定された第一ベースプレート４０に対して嵌合溝２５を嵌め込み、凸部４２，４２と凹部２５ａ，２５ａとを嵌合させることにより、第一トイレ装置２０の便器本体１０への装着が完了する（第五工程）。
【００６０】
＜作用・効果＞
次に、本発明の実施形態による型紙の作用効果を説明する。
【００６１】
本発明の実施形態においては、型紙６０は、平面視において略矩形状の外形を有し、上端中央部において第一ベースプレート４０の外形形状の一部に沿って形成された切欠き部６１が設けられている。また、型紙６０の表面には第二ベースプレート５０の外形形状の一部に沿った罫書表示６２が記載され、罫書表示６２が記載された表面とは反対の裏面における下方側左右両端には粘着部６３が設けられている。これにより、型紙６０の切欠き部６１又は罫書表示６２を便器本体１０に固定されたベースプレートの外形に合わせ、裏面に設けられた粘着部６３を粘着することで型紙６０を便器本体１０に固定することができるため、型紙６０の切欠き部６１又は罫書表示６２に基づいて、新しく取り替えるベースプレートを設計上許容される精度で指定の位置に固定することができる。
【００６２】
また、切欠き部６１は第一ベースプレート４０の外形形状の一部に沿って形成されており、罫書表示６２は第二ベースプレート５０の外形形状の一部に沿っているため、２つの種類のベースプレートの取替交換を型紙６０によって行うことができ、汎用性が高い。
【００６３】
また、粘着部６３は両面が粘着する両面テープであるため、型紙６０を便器本体１０に固定する際には容易に固定することができ、便器本体１０に固定された型紙６０を取り外す際には容易に取り外すことができる。
【００６４】
以上、本願の開示する技術の実施形態について説明したが、本願の開示する技術は、上記に限定されるものではない。
【００６５】
例えば、上記実施形態においては、便器本体１０に固定されていた第一ベースプレート４０を第二ベースプレート５０に取り替える、または便器本体１０に固定されていた第二ベースプレート５０を第一ベースプレート４０に取り替える、といったように、異なる種類のベースプレートの交換にのみ型紙６０を用いているが、本発明はこれに限らず、便器本体１０に固定されていた第一ベースプレート４０を新しい第一ベースプレート４０に取り替える、または便器本体１０に固定されていた第二ベースプレート５０を新しい第二ベースプレート５０に取り替える、といったように、同じ種類のベースプレートの交換に型紙６０を用いてもよい。つまり、型紙６０の切欠き部６１又は罫書表示６２に沿わせることで便器本体１０上におけるベースプレートの前後左右方向の位置が定まる形状部分を、平面視外形において少なくとも一部に有するベースプレートであれば、型紙６０を用いた付け替え対象のベースプレートとすることができる。
【００６６】
また、上記実施形態においては、型紙６０は紙製の治具であるとしたが、本発明はこれに限らず、型紙６０の代わりに例えば金属製や樹脂製のような治具を用いてもよいし、水に溶ける材質としてもよい。水に溶ける材質で治具を構成した場合、上述した第四工程においてベースプレートを便器本体１０に固定した後に治具を便器本体１０から剥がさなくてもよい。
【００６７】
また、上記実施形態においては、型紙６０を便器本体１０に固定するために裏面に粘着部６３として両面テープを設けることとしたが、本発明はこれに限らず、表面から片面テープを便器本体に貼り付けてもよいし、粘着せずに便器本体１０に固定できるようにしてもよい。
【００６８】
前述した各実施の形態が備える各要素は、技術的に可能な限りにおいて組み合わせることができ、これらを組み合わせたものも本発明の特徴を含む限り本発明の範囲に包含される。
【符号の説明】
【００６９】
１        大便器
１０      便器本体
１１      ボウル部
１２      設置部
１３      固定孔
１４      便器洗浄バルブ
１５      上面部
２０      第一トイレ装置
２１      筐体
２２      底面
２４      開口部
２５      嵌合溝
２５ａ    凹部
４０      第一ベースプレート
４１      取付孔
４２      凸部
５０      第二ベースプレート
５１      取付孔
５２      屈曲部
５２ａ    貫通孔
６０      型紙（治具）
６１      切欠き部
６１ａ    下辺部
６１ｂ    左辺部
６１ｃ    右辺部
６２      罫書表示
６２ａ    前辺部
６２ｂ    角部
６２ｃ    角部
６３      粘着部
８０      便座
９０      便蓋
１００    大便器
１２０    第二トイレ装置
１２１    筐体
１２２    底面
１２２ａ  挿入孔
１２３    側面
１２３ａ  ネジ挿入孔
１２４    開口部
１２７    ネジカバー
【図１】
2017057656.tif 000003
【図２】
2017057656.tif 000004
【図３】
2017057656.tif 000005
【図４】
2017057656.tif 000006
【図５】
2017057656.tif 000007
【図６】
2017057656.tif 000008
【図７】
2017057656.tif 000009
【図８】
2017057656.tif 000010